【手続補正書】
【提出日】平成23年1月16日(2011.1.16)
【手続補正１】
【補正対象書類名】特許請求の範囲
【補正対象項目名】全文
【補正方法】変更
【補正の内容】
【特許請求の範囲】
【請求項１】
可聴体験を共有するためのシステムであって，
該システムは，第１のヘッドホンを含み，
該第１のヘッドホンは，
第１の複数のスピーカーと，
第１の無線送受信機と，
前記第１の無線送受信機を制御するための第１の制御システムを含み，
前記第１の制御システムは，当該第１の制御システムは複数の第１の制御オペレーションを選択的に制御するものであり，前記複数の第１の制御オペレーションは，
（ｉ）  第１の信号を伝送すると同時に，前記第１の信号に対応した音声再生を行うこと，
（ｉｉ）  前記第１の信号と異なる情報を有する第２の信号を受信すると同時に，前記第２の信号に対応した音声再生を行うこと，
（ｉｉｉ）  前記第２の信号を受信するとともに送信すると同時に，前記第１の信号に対応した音声再生を行うこと，
のうち少なくとも２つを含む，
システム。
【請求項２】
前記第１のヘッドホンは，ユーザからの入力を受けるユーザインタフェースを含む，請求項１に記載のシステム。
【請求項３】
前記ユーザインタフェースは，前記第１の信号及び前記第２の信号のいずれかに対応した音声再生を選択的に行うようにするものを含む，請求項２に記載のシステム。
【請求項４】
前記ユーザインタフェースは，前記第２の信号を再送信するものを含む，請求項３に記載のシステム。
【請求項５】
前記第２の信号の前記再送信は，前記ユーザインタフェースを用いて選択される指定チャネル上で行われる，請求項４に記載のシステム。
【請求項６】
請求項１に記載のシステムであって，
第２のヘッドホンをさらに含み，
前記第２のヘッドホンは，
第２の複数のスピーカーと，
第２の無線送受信機と，
前記第２の無線送受信機を制御するための第２の制御システムを含み，
前記第２の制御システムは，複数の第２の制御オペレーションを選択的に制御するものであり，前記複数の第２の制御オペレーションは，
（ｉ）  前記第１の信号及び前記第２の信号のいずれかを受信すると同時に再送信するともに，前記第１の信号，前記第２の信号及び第３の信号のいずれか一つに対応した音楽再生を行うことであって，前記第３の信号は前記第１の信号及び前記第２の信号と異なる情報を有するもの，と
（ｉｉ）  前記第１の信号と前記第２の信号のいずれかを受信すると同時に，前記第１の信号又は第２の信号に対応した音声再生を行うと同時に，前記第３の信号の送信を行うことを含む，
システム。
【請求項７】
前記第２の制御システムは，第３の信号を第３のヘッドホンへ送信する一方，前記第１の信号又は前記第２の信号に対応した音声再生を行う，請求項６に記載のシステム。
【請求項８】
前記第１の信号又は前記第２の信号の送信は，複数のディスクリートチャネルの一つの上で行われる，請求項１に記載のシステム。
【請求項９】
前記複数のディスクリートチャネルの一つは，自動的に選択される，請求項８に記載のシステム。
【請求項１０】
前記自動選択は，ハンティングにより行われる，請求項９に記載のシステム。
【請求項１１】
前記自動選択は，周波数ホッピングにより行われる，請求項９に記載のシステム。
【請求項１２】
前記複数のディスクリートチャネルの一つは，手動で選択される，請求項８に記載のシステム。
【請求項１３】
前記手動選択は，数字で示される，請求項１２に記載のシステム。
【請求項１４】
前記手動選択は，色で示される，請求項１２に記載のシステム。
【請求項１５】
前記複数のディスクリートチャネルの一つは，視覚キューで示される，請求項８に記載のシステム。
【請求項１６】
前記複数のディスクリートチャネルの一つは，可聴キューで示される，請求項８に記載のシステム。
【請求項１７】
請求項１に記載のシステムであって，
前記第１の信号は，第１の音声信号を含み，
前記第２の信号は，前記第１の音声信号とは異なる音声に関する第２の音声信号を含む，
システム。
【請求項１８】
音声共有ネットワークであって，
第１の再生システム及び第２の音声再生システムを含み，
前記第１の再生システムは，
第１の無線送受信機と，
ユーザからの入力に応じるための第１のユーザインターフェイスと，
前記第１の無線送受信機を制御するための第１の制御システムを含み，
前記第１の制御システムは，前記ユーザからの入力に応答し，複数の第１の制御オペレーションを選択的に制御するものであり，前記複数の第１の制御オペレーションは，
（ｉ）  第１の音声信号を受信し再生すると同時に，前記第１の音声信号を送信すること，
（ｉｉ）  前記第１の音声信号を受信し再生すると同時に，前記第１の音声信号と異なる情報を有する第２の音声信号を送信すること，
（ｉｉｉ）  前記第１の音声信号を受信するとともに送信すると同時に，前記第２の音声信号に対応した音声再生を行うこと，
のうち少なくとも２つを含み，
前記第２の再生システムは，
第２の無線送受信機と，
ユーザからの入力に応じるための第２のユーザインターフェイスと，
前記第２の無線送受信機を制御するための第２の制御システムを含み，
前記第２の制御システムは，前記ユーザからの入力に応答し，複数の第２の制御オペレーションを選択的に制御するものであり，前記複数の第２の制御オペレーションは，
（ｉ）  前記第１の音声信号又は前記第２の音声信号を受信し再生すると同時に，前記第１の音声信号又は前記第２の音声信号を送信すること，
（ｉｉ）  前記第１の音声信号及び前記第２の音声信号を受信し再生すると同時に，前記第１の音声信号及び前記第２の音声信号と異なる情報を有する第３の音声信号を送信すること，
（ｉｉｉ）  前記第１の音声信号又は前記第２の音声信号を受信するとともに送信すると同時に，前記第３の音声信号に対応した音声再生を行うこと，
のうち少なくとも２つを含む音声共有ネットワーク。
【請求項１９】
前記第２の制御システムは，ユーザが前記専用音声信号を第３の再生システムに再ブロードキャストするのを可能にするように構成される，請求項１８に記載のネットワーク。
【請求項２０】
前記第２の制御システムは，前記専用音声信号を復号するように構成される，請求項１８に記載のネットワーク。
【請求項２１】
前記第１の制御システムは，前記専用音声信号を送信前に暗号化し，それにより，暗号化音声信号を生成するように構成される，請求項１９に記載のネットワーク。
【請求項２２】
制御装置と，
信号動作を選択的に実行するための該制御装置により制御可能な送受信機であって，該信号動作は，受信信号の受信，送信信号の送信，及び受信信号の受信と送信信号の送信の同時実行を含む複数の信号動作から選択される，送受信機と，
前記制御装置を装置と通信させるための該装置に連結可能な装置インタフェースであって，該制御装置は，該装置インタフェースを介して通信動作を実行するためのものであり，該通信動作は，前記装置へ送信される第１の音声情報を含む第１の信号を送信すること，前記装置からの第２の音声情報を含む第２の信号を受信すること，及び前記第１の信号と前記第２の信号とを前記装置を用いて同時に変換することを含む複数の通信処理から選択される通信動作である
を含む周辺装置であって，
前記制御装置は，
前記制御装置は，前記信号動作及び前記通信動作を同時又は時間を別にして選択的に実施し，前記受信信号は前記第１の信号及び第２の信号のいずれかを含み，前記第３の信号は前記第１の信号と異なる情報を含むものであり，前記送信信号は前記第１の信号，前記第２の信号，前記第３の信号及び第４の信号のいずれかを含み，前記第４の信号は，前記第１の信号，前記第２の信号，及び前記第３の信号と異なる情報を有する， 
周辺機器。
【請求項２３】
前記第１，第２，第３，及び第４の信号の少なくともひとつは，視覚情報をさらに含む，請求項２２に記載の周辺機器。
【請求項２４】
前記第１及び第３の信号の一つは，前記受信信号から復号される，請求項２２に記載の周辺機器。
【請求項２５】
前記第１，第２，第３，及び第４の音声情報の少なくとも一つは，送信信号として送信される前に符号化される，請求項２２に記載の周辺機器。
【請求項２６】
前記第２の信号は，前記第１の信号に由来する，請求項２２に記載の周辺機器。
【請求項２７】
ユーザが前記信号動作及び通信動作の少なくとも一つを制御するためのユーザインタフェースをさらに含む，請求項２２に記載の周辺機器。
【請求項２８】
前記ユーザインタフェースは，さらに，前記信号動作及び前記通信動作の同時実行及び個別実行の一つを選択することができる，請求項２７に記載の周辺機器。
【請求項２９】
前記送信信号の送信及び前記受信信号の受信は，複数のディスクリートチャネルの一つの上で行われる，請求項２２に記載の周辺機器。
【請求項３０】
前記複数のディスクリートチャネルの一つは，自動的に選択される，請求項２９に記載の周辺機器。
【請求項３１】
前記自動選択は，ハンティングにより行われる，請求項３０に記載の周辺機器。
【請求項３２】
前記自動選択は，周波数ホッピングにより行われる，請求項３０に記載の周辺機器。
【請求項３３】
前記複数のディスクリートチャネルの一つは，手動で選択される，請求項２９に記載の周辺機器。
【請求項３４】
前記手動選択を示す数字を表示するためのディスプレイをさらに含む，請求項３３に記載の周辺機器。
【請求項３５】
前記手動選択を示す色を表示するためのディスプレイをさらに含む，請求項３３に記載の周辺機器。
【請求項３６】
前記複数のディスクリートチャネルの一つは，視覚キューで示される，請求項２９に記載の周辺機器。
【請求項３７】
前記複数のディスクリートチャネルの一つは，可聴キューで示される，請求項２９に記載の周辺機器。
【請求項３８】
前記装置は，前記第１のメディアデータ及び前記第２のメディアデータの少なくとも一つの再生用の再生モジュールを含む，請求項２２に記載の周辺機器。
【請求項３９】
前記装置は，ヘッドホン，メディア装置，及び無線通信装置の少なくとも一つである，請求項２２に記載の周辺機器。
【請求項４０】
前記周辺機器は，ドングルである，請求項２２に記載の周辺機器。
【請求項４１】
請求項２２に記載の周辺機器であって，前記第１の信号及び前記第２の信号は異なる情報を含む周辺機器。
【請求項４２】
請求項２２に記載の周辺機器であって，前記第１の信号及び前記第２の信号は少なくとも音声情報及び視覚情報のいずれかに対応するメディア情報を含む，周辺機器。
【請求項４３】
請求項２２に記載の周辺機器であって，前記第１の信号，前記第３の信号，及び前記第４の信号のうち少なくとも２つは，少なくとも音声情報及び視覚情報のいずれかに対応するメディア情報を含む，周辺機器。
【請求項４４】
請求項２２に記載の周辺機器であって，前記第１の信号，前記第３の信号，及び前記第４の信号のうち少なくとも２つは，前記周辺機器と無線通信できるようにされた異なる装置により生成されたものである，周辺機器。
【請求項４５】
請求項２２に記載の周辺機器であって，装置を用いて前記第１の信号を送信すると前記装置前記第１信号及び同時に交換され，前記装置からの前記第２の信号を受信する，周辺機器。
【請求項４６】
請求項２２に記載の周辺機器であって，前記第１の信号と前記第２の信号とを前記装置を用いて同時に変換する際に，前記装置へ前記第２の信号を送信すると同時に前記装置から前記第２の信号を受信することを含む，周辺装置。
【請求項４７】
請求項２２に記載の周辺機器であって，前記それぞれの信号動作及び通信動作は，無線信号通信を含む，周辺機器。
【請求項４８】
請求項４７に記載の周辺機器であって，前記第２の音声情報は前記第１の音声情報と異なる音声情報に対応する，周辺機器。
【請求項４９】
制御装置と，
信号動作を選択的に実行するための該制御装置により制御可能な送受信機であって，該信号動作は，受信信号の受信，送信信号の送信，及び受信信号の受信と送信信号の送信の同時実行を含む複数の信号動作から選択される，送受信機と，
再生モジュールと，
該制御装置を該再生モジュールと通信させるためのデータインタフェースであって，該制御装置は，該データインタフェースを介して通信動作を実行するためのものであり，該通信動作は，第１の音声情報を含む第１の信号を少なくとも一つの他の装置への送信すること，第２の音声情報を含む第２の信号を前記少なくとも一つの他の装置からの受信すること，及び前記少なくとも一つの他の装置を用いて前記第１の信号と第２の信号を交換することであって，第１の信号を前記装置から受信することと第２のメディアデータの該装置への送信を同時実行すること，及び前記再生モジュールが，該第１の信号及び該第２の信号一つを再生することを含む通信動作から選択される，データインタフェースと，
を含む装置であって，
前記制御装置は，前記信号動作及び前記通信動作を同時又は時間を別にして選択的に実施し，前記受信信号は前記第１の信号及び第２の信号のいずれかを含み，前記第３の信号は前記第１の信号と異なる情報を含むものであり，前記送信信号は前記第１の信号，前記第２の信号，前記第３の信号及び第４の信号のいずれかを含み，前記第４の信号は，前記第１の信号，前記第２の信号，及び前記第３の信号と異なる情報を有する， 
装置。
【請求項５０】
前記第１，第２，第３，及び第４の信号は，さらに視覚情報を含む，請求項４９に記載の装置。
【請求項５１】
前記第１及び第３の音声情報の１つは，前記受信信号から復号される，請求項４９に記載の装置。
【請求項５２】
前記第１，第２，第３，及び第４の音声情報の少なくとも１つは，前記送信信号として送信される前に符号化される，請求項４９に記載の装置。
【請求項５３】
第２の音声情報は，前記第１の音声情報に由来する，請求項４９に記載の装置。
【請求項５４】
ユーザが前記信号動作及び前記通信動作の少なくとも一つを制御することができるユーザインタフェースをさらに含む，請求項４９に記載の装置。
【請求項５５】
前記ユーザインタフェースは，さらに，前記信号動作及び前記通信動作の同時実行及び個別実行の一つを選択することができる，請求項４９に記載の周辺機器。
【請求項５６】
送信信号の送信及び受信信号の受信は，複数のディスクリートチャネルの一つの上で行われる，請求項４９に記載の装置。
【請求項５７】
前記複数のディスクリートチャネルの一つは，自動的に選択される，請求項５６に記載の装置。
【請求項５８】
前記自動選択は，ハンティングにより行われる，請求項５７に記載の装置。
【請求項５９】
前記自動選択は，周波数ホッピングにより行われる，請求項５７に記載の装置。
【請求項６０】
前記複数のディスクリートチャネルの一つは，手動で選択される，請求項５６に記載の装置。
【請求項６１】
前記手動選択を示す数字を表示するためのディスプレイをさらに含む，請求項５０に記載の装置。
【請求項６２】
前記手動選択を示す色を表示するためのディスプレイをさらに含む，請求項５０に記載の装置。
【請求項６３】
前記複数のディスクリートチャネルの一つは，視覚キューで示される，請求項５６に記載の装置。
【請求項６４】
前記複数のディスクリートチャネルの一つは，可聴キューで示される，請求項５６に記載の装置。
【請求項６５】
前記装置は，ヘッドホン，メディア装置，及び無線通信装置の少なくとも一つである，請求項５６に記載の装置。
【請求項６６】
前記第１及び第２の信号は，異なる情報を含む，請求項４９に記載の装置。
【請求項６７】
前記第１の信号及び前記第２の信号は，音声信号及び視覚信号の少なくとも一つを含むメディアデータを含む，請求項４９に記載の装置。
【請求項６８】
前記第１，第２，第３及び第４の信号は，音声信号及び視覚信号の少なくとも一つを含むメディアデータを含む，請求項４９に記載の装置。
【請求項６９】
前記第１，第３及び第４の信号は異なる装置に由来する，請求項４９に記載の装置。  
【請求項７０】
前記少なくとも一つの他の装置を用いて前記第１の信号と第２の信号を交換することは，前記少なくとも一つの他の装置に前記第１の信号を送信すると同時に前記第２の信号を前記少なくとも一つの他の装置から受信することを含む，請求項４９に記載の装置。
【請求項７１】
前記少なくとも一つの他の装置を用いて前記第１の信号と第２の信号を交換することは，前記少なくとも一つの他の装置に前記第２の信号を送信すると同時に前記第１の信号を前記少なくとも一つの他の装置から受信することを含む，請求項４９に記載の装置。